(57)【要約】【課題】映像コンテンツに関連付けられた曲の購入又は登録を容易に管理できる電子機器を実現する。【解決手段】実施形態によれば、電子機器は、受信手段と表示処理手段とコンテンツ再生処理手段とを具備する。受信手段は、第１映像コンテンツに関連付けられた第１曲に関する第１曲情報と、第２映像コンテンツに関連付けられた第２曲に関する第２曲情報とを受信する。表示処理手段は、前記第１曲情報と前記第２曲情報とを用いて、前記第１映像コンテンツを示す第１項目と前記第１曲の購入又は登録に関する状態を示す第２項目とが並べて配置され、前記第２映像コンテンツを示す第３項目と前記第２曲の購入又は登録に関する状態を示す第４項目とが並べて配置された第１画面をディスプレイに表示する。コンテンツ再生処理手段は、前記第１項目が選択された場合、前記第１映像コンテンツを再生し、前記第３項目が選択された場合、前記第２映像コンテンツを再生する。【選択図】図１０
2017118178.tif 000002
【特許請求の範囲】
【請求項１】
第１映像コンテンツに関連付けられた第１曲に関する第１曲情報と、第２映像コンテンツに関連付けられた第２曲に関する第２曲情報とを受信する受信手段と、
前記第１曲情報と前記第２曲情報とを用いて、前記第１映像コンテンツを示す第１項目と前記第１曲の購入又は登録に関する状態を示す第２項目とが並べて配置され、前記第２映像コンテンツを示す第３項目と前記第２曲の購入又は登録に関する状態を示す第４項目とが並べて配置された第１画面をディスプレイに表示する表示処理手段と、
前記第１項目が選択された場合、前記第１映像コンテンツを再生し、前記第３項目が選択された場合、前記第２映像コンテンツを再生するコンテンツ再生処理手段とを具備する電子機器。
【請求項２】
前記第１曲情報は、前記第１曲の発売日を含み、
前記表示処理手段は、さらに、現在の日付が前記発売日より前である場合、前記第２項目が配置されていない前記第１画面を表示し、現在の日付が前記発売日以降である場合、前記第２項目が配置された前記第１画面を表示する請求項１記載の電子機器。
【請求項３】
前記第２項目は、前記第１曲がまだ試聴されていない第１状態と、前記第１曲の購入又は登録が保留されている第２状態と、前記第１曲を購入又は登録しないことが決定済みである第３状態と、前記第１曲が購入済み又は登録済みである第４状態のいずれかの状態を示す請求項１記載の電子機器。
【請求項４】
前記表示処理手段は、さらに、
前記第１状態、前記第２状態又は前記第３状態を示す前記第２項目が選択された場合、前記第１曲の購入又は登録を保留することと、前記第１曲を購入又は登録しないことと、前記第１曲を購入又は登録することのいずれかを選択するための第２画面を表示し、
前記第２画面を用いて、前記第１曲の購入又は登録を保留することが選択された場合、前記第２状態を示す前記第２項目が配置された前記第１画面を表示し、
前記第２画面を用いて、前記第１曲を購入又は登録しないことが選択された場合、前記第３状態を示す前記第２項目が配置された前記第１画面を表示し、
前記第２画面を用いて、前記第１曲を購入又は登録することが選択された場合、前記第４状態を示す前記第２項目が配置された前記第１画面を表示する請求項３記載の電子機器。
【請求項５】
前記受信手段は、さらに、
前記第１曲の試聴版音源データを受信し、
前記第２画面を用いて、前記第１曲を購入又は登録することが選択された場合、前記第１曲の製品版音源データを受信し、
前記電子機器は、
前記第１状態、前記第２状態又は前記第３状態を示す前記第２項目がフォーカスされた場合、前記第１曲の試聴版音源データを再生し、前記第４状態を示す前記第２項目がフォーカスされた場合、前記第１曲の製品版音源データを再生する曲再生処理手段をさらに具備する請求項４記載の電子機器。
【請求項６】
前記表示処理手段は、さらに、前記第２項目がフォーカスされた場合、前記第１曲のタイトル、アーティスト名、発売日、価格、及び画像の内の少なくとも１つを前記第１画面上に表示する請求項１記載の電子機器。
【請求項７】
前記受信手段は、前記第１曲情報と、前記第２曲情報と、前記第１映像コンテンツに関連付けられた第３曲に関する第３曲情報とを受信し、
前記表示処理手段と、前記第１曲情報と前記第２曲情報と前記第３曲情報とを用いて、前記第１項目と前記第２項目と前記第３曲の購入又は登録に関する状態を示す第５項目とが並べて配置され、前記第３項目と前記第４項目とが並べて配置された前記第１画面を表示する請求項１記載の電子機器。
【請求項８】
前記第１映像コンテンツと前記第２映像コンテンツとは、前記電子機器上で録画された映像コンテンツである請求項１記載の電子機器。
【請求項９】
第１映像コンテンツに関連付けられた第１曲に関する第１曲情報と、第２映像コンテンツに関連付けられた第２曲に関する第２曲情報とを受信することと、
前記第１曲情報と前記第２曲情報とを用いて、前記第１映像コンテンツを示す第１項目と前記第１曲の購入又は登録に関する状態を示す第２項目とが並べて配置され、前記第２映像コンテンツを示す第３項目と前記第２曲の購入又は登録に関する状態を示す第４項目とが並べて配置された第１画面をディスプレイに表示することと、
前記第１項目が選択された場合、前記第１映像コンテンツを再生し、前記第３項目が選択された場合、前記第２映像コンテンツを再生することとを含む表示制御方法。
【発明の詳細な説明】
【技術分野】
【０００１】
本発明の実施形態は、映像コンテンツを再生する電子機器及び該機器に適用される表示制御方法に関する。
【背景技術】
【０００２】
映像コンテンツを再生するテレビジョン受信機、パーソナルコンピュータ、スマートフォン等の様々な電子機器が普及している。このような電子機器は、デジタルテレビジョン放送信号を受信し、受信された信号に基づく番組を再生したり、インターネットを介して映像コンテンツデータを受信し、受信されたデータに基づく映像コンテンツを再生したりすることができる。
【０００３】
ところで、このような映像コンテンツ（番組）には主題曲や挿入曲が含まれていることが多い。そして、映像コンテンツを視聴したユーザは、その映像コンテンツの主題曲等を購入することがあり、また、一部のユーザは、試聴した映像コンテンツの主題曲等を購入する習慣を有している。
【０００４】
ユーザは、例えば、曲を購入するためのウェブページやアプリケーションプログラムを利用して、販売されている多数の曲からその主題曲等を見つけ出す。そして、ユーザがその見つかった曲を購入する手続きを行うことによって、使用する電子機器に曲をダウンロードすることができる。
【先行技術文献】
【特許文献】
【０００５】
【特許文献１】特開２００７−１０４３１３号公報
【発明の概要】
【発明が解決しようとする課題】
【０００６】
しかし、販売されている多数の曲から、ユーザが視聴した映像コンテンツ（番組）毎に、その映像コンテンツの主題曲等を見つけ出すことはユーザにとって非常に煩雑である。また、ユーザが、いくつかの映像コンテンツの主題曲等を購入したいと考えている場合には、その曲毎に発売日が異なるので、どの曲が既に購入したものであるかを把握することも煩雑である。
【０００７】
本発明は、映像コンテンツに関連付けられた曲の購入又は登録を容易に管理できる電子機器及び表示制御方法を提供することを目的とする。
【課題を解決するための手段】
【０００８】
実施形態によれば、電子機器は、受信手段と、表示処理手段と、コンテンツ再生処理手段とを具備する。受信手段は、第１映像コンテンツに関連付けられた第１曲に関する第１曲情報と、第２映像コンテンツに関連付けられた第２曲に関する第２曲情報とを受信する。表示処理手段は、前記第１曲情報と前記第２曲情報とを用いて、前記第１映像コンテンツを示す第１項目と前記第１曲の購入又は登録に関する状態を示す第２項目とが並べて配置され、前記第２映像コンテンツを示す第３項目と前記第２曲の購入又は登録に関する状態を示す第４項目とが並べて配置された第１画面をディスプレイに表示する。コンテンツ再生処理手段は、前記第１項目が選択された場合、前記第１映像コンテンツを再生し、前記第３項目が選択された場合、前記第２映像コンテンツを再生する。
【図面の簡単な説明】
【０００９】
【図１】実施形態に係る電子機器に映像コンテンツに関連付けられた曲が配信されるサービスの概要を示す図。
【図２】同実施形態の電子機器の外観を示す斜視図。
【図３】同実施形態の電子機器のシステム構成を示すブロック図。
【図４】同実施形態の電子機器を操作するためのリモートコントローラの外観の例を示す図。
【図５】画面に表示される映像コンテンツリストの例を示す図。
【図６】同実施形態の電子機器によって表示される映像コンテンツリスト画面の例を示す図。
【図７】図６の映像コンテンツリスト画面の遷移の例を示す図。
【図８】図７の映像コンテンツリスト画面の遷移の例を示す図。
【図９】図８の映像コンテンツリスト画面の遷移の例を示す図。
【図１０】同実施形態の電子機器によって実行される録画・再生アプリケーションプログラムの機能構成を示すブロック図。
【図１１】同実施形態の電子機器によって用いられる映像コンテンツデータの一構成例を示す図。
【図１２】同実施形態の電子機器によって用いられる曲情報の一構成例を示す図。
【図１３】同実施形態の電子機器によって表示される映像コンテンツリスト画面内の曲ボタンと、曲ボタンに対する操作に応じた動作を説明するための図。
【図１４】同実施形態の電子機器によって設定される曲の状態の遷移を説明するための図。
【図１５】同実施形態の電子機器によって用いられるユーザ情報の一構成例を示す図。
【図１６】同実施形態の電子機器によって実行されるユーザ操作処理の手順の例を示すフローチャート。
【図１７】同実施形態の電子機器によって実行される映像コンテンツリスト表示処理の手順の例を示すフローチャート。
【図１８】同実施形態の電子機器によって実行されるフォーカス処理の手順の例を示すフローチャート。
【図１９】同実施形態の電子機器によって実行される選択処理の手順の例を示すフローチャート。
【発明を実施するための形態】
【００１０】
以下、実施の形態について図面を参照して説明する。
【００１１】
図１は、本実施形態の電子機器に、映像コンテンツに関連付けられた曲が配信されるサービスの概要を示す図である。この電子機器は、映像コンテンツを再生可能な映像再生機器であり、例えば、デジタルテレビジョン受信機、パーソナルビデオレコーダ、パーソナルコンピュータ等の各種のコンシューマ機器として実現され得る。以下では、この電子機器がデジタルテレビジョン受信機１１として実現される例を示す。
【００１２】
デジタルテレビジョン受信機１１は、デジタルテレビジョン放送信号を受信し、その放送信号に基づく映像コンテンツ（すなわち、番組）を再生（表示）する再生機能を有する。また、デジタルテレビジョン受信機１１は、受信された放送信号に基づく映像コンテンツ（映像コンテンツデータ）をストレージ等に保存する録画機能も有する。デジタルテレビジョン受信機１１は、この録画機能により保存された映像コンテンツのリストを画面に表示し、そのリストから選択された映像コンテンツを再生する。
【００１３】
さらに、このデジタルテレビジョン受信機１１は、ネットワークを介して、映像コンテンツに関連付けられた曲（以下、関連曲とも称する）が配信されるサービスを利用でき、そのような関連曲の購入を管理するための関連曲管理機能を有する。この関連曲は、例えば、番組を代表する主題曲（例えば、オープニングやエンディングに使用される曲）や、番組の途中で使用される挿入曲、等である。デジタルテレビジョン受信機１１は、インターネット上のサーバから、関連曲に対応する試聴版音源データや曲情報（例えば、曲名、アーティスト名、価格、等）を受信する。そして、デジタルテレビジョン受信機１１は、映像コンテンツとその映像コンテンツに関連付けられた曲とのリストを画面に表示する。デジタルテレビジョン受信機１１を使用するユーザが、そのリスト上で曲の購入を指示するための操作を行った場合、デジタルテレビジョン受信機１１は、サーバから、その曲の製品版音源データを受信（ダウンロード）する。
【００１４】
このような購入には、ユーザの認証のために、例えば、ＩＤとパスワードとが用いられる。サーバでは、ユーザ情報としてＩＤとパスワードとが管理されている。サーバは、例えば、デジタルテレビジョン受信機１１から送信されるユーザのＩＤとパスワードとが、サーバで管理されているＩＤとパスワードとにそれぞれ一致する場合に、そのユーザを認証し、曲の購入や、購入された曲のダウンロードを可能にする。サーバは、ユーザ情報として、さらに、曲の購入履歴を管理する。このサーバは、例えば、１人のユーザが使用する複数の電子機器からアクセス可能なクラウドサーバである。
【００１５】
例えば、ユーザがデジタルテレビジョン受信機１１だけでなく、携帯音楽プレーヤーやスマートフォンのようなモバイル機器２１を利用する場合には、そのモバイル機器２１でも、購入された曲の製品版音源データを受信することができる。サーバは、例えば、モバイル機器２１から送信されるユーザのＩＤとパスワードとが、サーバで管理されているＩＤとパスワードとにそれぞれ一致する場合に、そのユーザを認証し、デジタルテレビジョン受信機１１上で購入された曲のダウンロードを可能にする。同様にして、モバイル機器２１上で購入された曲を、デジタルテレビジョン受信機１１にダウンロードすることもできる。
【００１６】
なお、上述した曲の配信サービスは、曲単位で購入する形態に限らず、例えば、月単位で課される料金を支払うことによって、ユーザが使用するテレビジョン受信機１１やモバイル機器２１に、その月に所定数まで又は無制限に曲をダウンロードできる形態、いわゆる定額の配信サービスであってもよい。このような定額の配信サービスが利用される場合、ユーザは、映像コンテンツとその映像コンテンツに関連付けられた曲とのリスト上で、曲の取得（ダウンロード）を指示するための操作を行うこともできるし、その曲を所定のリスト（例えば、お気に入りリスト、プレイリスト、等）に登録するための操作を行うこともできる。デジタルテレビジョン受信機１１やモバイル機器２１は、このリストに登録された曲を再生（ストリーミング再生、又はダウンロードして再生）することができる。また、このリストは、ユーザ情報としてクラウドサーバで管理され得る。
【００１７】
以上により、デジタルテレビジョン受信機１１では映像コンテンツに関連付けられた曲の購入やリストへの登録を管理することができ、また、モバイル機器２１ではデジタルテレビジョン受信機１１上で購入又はリストに登録された曲を再生することができる。なお、以下では主に、映像コンテンツに関連付けられた曲の購入（ダウンロード）を管理する形態について例示するが、本テレビジョン受信機１１は、曲の購入だけではなく、曲のリストへの登録も同様にして管理することができる。
【００１８】
図２は、本デジタルテレビジョン受信機１１の外観を示す斜視図である。デジタルテレビジョン受信機１１は、薄い箱形の筐体を有しており、その前面中央部には映像が表示される液晶ディスプレイ（ＬＣＤ）１４が配置され、前面下部には、リモートコントローラによって送信される信号を受信する受光部１８、ＬＥＤ１３などが配置されている。また、デジタルテレビジョン受信機１１の右側面には、例えば、デジタルテレビジョン受信機１１を電源オン／電源オフするための主電源ボタン１６が設けられている。ＬＥＤ１３は、デジタルテレビジョン受信機１１が電源オンの状態である場合と電源オフの状態である場合とで、異なる色が点灯される。
【００１９】
図３は、デジタルテレビジョン受信機１１のシステム構成の例を示す。  
デジタルテレビジョン受信機１１は、ＬＣＤ１４、スピーカ１５、主電源ボタン１６、受光部１８、放送信号入力端子４８，５３、アナログ信号入力端子６０、出力端子６３，６４、チューナ４９，５４、ＰＳＫ復調器５０、ＯＦＤＭ復調器５５、信号処理部５１、音声処理部５９、グラフィック処理部５８、映像処理部６２、ＯＳＤ信号生成部６１、制御部６５、通信デバイス６６、電源制御部６７等を備える。
【００２０】
放送信号入力端子４８及び放送信号入力端子５３には、それぞれＢＳ／ＣＳデジタル放送受信用アンテナ４７及び地上波放送受信用アンテナ５２が接続される。また、受光部１８は、リモートコントローラ１７によって出力される信号（例えば、赤外線による信号）を受信する。
【００２１】
制御部６５は、デジタルテレビジョン受信機１１内の各部の動作を制御する。制御部６５は、ＣＰＵ６５１、ＲＯＭ６５２、ＲＡＭ６５３、及び不揮発性メモリ６５４を備える。ＣＰＵ６５１は、ＲＯＭ６５２及び不揮発性メモリ６５４に格納される各種のプログラムをＲＡＭ６５３にロードし、処理を実行する。これらプログラムには、例えば、ＲＯＭ６５２に格納される制御プログラムや、不揮発性メモリ６５４に格納される様々なアプリケーションプログラムが含まれている。このアプリケーションプログラムには、録画・再生アプリケーションプログラム６５３Ａが含まれている。録画・再生アプリケーションプログラム６５３Ａは、映像コンテンツを録画し、録画された映像コンテンツを再生する録画・再生機能を有する。また、録画・再生アプリケーションプログラム６５３Ａは、映像コンテンツに関連付けられた曲の購入又は登録（例えば、リストへの登録）を管理するための関連曲管理機能も有する。
【００２２】
ＢＳ／ＣＳデジタル放送受信用アンテナ４７は、衛星デジタルテレビジョン放送信号を受信する。ＢＳ／ＣＳデジタル放送受信用アンテナ４７は、受信した衛星デジタルテレビジョン放送信号を、入力端子４８を介して衛星デジタル放送用のチューナ４９に出力する。チューナ４９は、この放送信号からユーザが選択しているチャンネルの放送信号を選局する。チューナ４９は、選局した放送信号をＰＳＫ復調器５０に出力する。ＰＳＫ（Phase Shift Keying）復調器５０は、チューナ４９により選局された放送信号をデジタルの映像信号及び音声信号に復調する。ＰＳＫ復調器５０は、復調したデジタルの映像信号及び音声信号を信号処理部５１に出力する。
【００２３】
地上波放送受信用アンテナ５２は、地上デジタルテレビジョン放送信号を受信する。地上波放送受信用アンテナ５２は、地上デジタルテレビジョン放送信号を、入力端子５３を介してチューナ５４に出力する。チューナ５４は、この放送信号からユーザが選択しているチャンネルの放送信号を選局する。チューナ５４は、選局した放送信号をＯＦＤＭ復調器５５に出力する。ＯＦＤＭ（Orthogonal Frequency Division Multiplexing）復調器５５は、チューナ５４により選局された放送信号をデジタルの映像信号及び音声信号に復調する。ＯＦＤＭ復調器５５は復調したデジタルの映像信号及び音声信号を信号処理部５１に出力する。
【００２４】
信号処理部５１には、入力端子６０が接続される。この入力端子６０は、デジタルテレビジョン受信機１１に対して、外部からアナログの映像信号及び音声信号を入力するための端子である。信号処理部５１は、入力端子６０を介して入力されたアナログの映像信号及び音声信号を、それぞれデジタルの映像信号及び音声信号に変換する。
【００２５】
信号処理部５１は、変換されたデジタルの映像信号及び音声信号、又はＰＳＫ復調器５０もしくはＯＦＤＭ復調器５５によって出力されたデジタルの映像信号及び音声信号に対して所定のデジタル信号処理を施す。信号処理部５１は、所定のデジタル信号処理を施した映像信号及び音声信号を、グラフィック処理部５８及び音声処理部５９に出力する。
【００２６】
音声処理部５９は、入力されたデジタル音声信号を、スピーカ１５で再生可能なアナログ音声信号に変換する。音声処理部５９は、このアナログ音声信号をスピーカ１５に出力する。スピーカ１５は、入力されたアナログ音声信号に基づいて音声を再生（出力）する。音声処理部５９はさらに、出力端子６４を介してアナログ音声信号を外部に導出してもよい。
【００２７】
グラフィック処理部５８は、信号処理部５１から出力されるデジタル映像信号に、ＯＳＤ（On Screen Display）信号生成部６１で生成されるメニュー等のＯＳＤ信号を重畳する。グラフィック処理部５８は、ＯＳＤ信号が重畳された映像信号を映像処理部６２に出力する。また、グラフィック処理部５８は、信号処理部５１の出力である映像信号と、ＯＳＤ信号生成部６１の出力であるＯＳＤ信号のいずれか一方を映像処理部６２に出力してもよい。
【００２８】
ＯＳＤ信号生成部６１は、例えば、録画・再生アプリケーションプログラム６５３Ａを実行するＣＰＵ６５１と協働して、番組表や録画リストのような映像コンテンツのリストを表示するためのＯＳＤ信号を生成することもできる。グラフィック処理部５８は、このＯＳＤ信号を映像処理部６２に出力する。
【００２９】
映像処理部６２は、入力されたデジタル映像信号に所定の処理を施す。この所定の処理は、例えば、入力されたデジタル映像信号を鮮鋭化するための鮮鋭化処理である。  
映像処理部６２は、所定の処理が施されたデジタル映像信号を、ＬＣＤ１４で表示可能な映像信号に変換する。映像処理部６２は、この映像信号をＬＣＤ１４に出力する。ＬＣＤ１４は、入力された映像信号に基づいて映像を表示する。映像処理部６２はさらに、出力端子６３を介してこの映像信号を外部に導出してもよい。
【００３０】
通信デバイス６６は、他の電子機器との有線又は無線による通信を実行するように構成されたデバイスである。通信デバイス６６は、信号を送信する送信部（送信回路）と、信号を受信する受信部（受信回路）とを含む。
【００３１】
主電源ボタン１６は、上述したように、テレビジョン受信機１１の電源のオンとオフとを切り替えるための機能を有する。主電源ボタン１６は、ボタンが押されたことに応じて、対応する操作信号を電源制御部６７に出力する。
【００３２】
受光部１８は、リモートコントローラ１７によって送信されたリモコン信号を受信（受光）する。受光部１８は、受信したリモコン信号を電源制御部６７に出力する。
【００３３】
電源制御部６７は、コンセント（アウトレット）に接続される電源プラグ１９を介して外部電源（例えば、商用交流（ＡＣ）電源）によって供給される電力を制御する。また、電源制御部６７には、主電源ボタン１６による操作信号、もしくは受光部１８で受信されるリモートコントローラ１７によるリモコン信号が入力される。電源制御部６７は、これら操作信号及びリモコン信号（コマンド）に応じて、デジタルテレビジョン受信機１１内の各部に供給される電力を制御する。また、電源制御部６７は、操作信号及びリモコン信号を制御部６５に出力する。制御部６５は、電源制御部６７によって出力された信号に応じて、テレビジョン受信機１１内の各部の制御を行う。
【００３４】
また、図４は、受光部１８に送信される各種のリモコン信号を入力するためのリモートコントローラ１７の例を示す。リモートコントローラ１７内に設けられるキー（ボタン）が押されたことに応じて、そのキーに対応するリモコン信号が送信（出力）される。リモートコントローラ１７は、例えば、録画リストキー４０、上キー４１Ｕ、下キー４１Ｄ、左キー４１Ｌ、右キー４１Ｒ、決定キー４２、等を備える。
【００３５】
録画リストキー４０は、録画された映像コンテンツ（番組）のリストを画面に表示するためのキーである。上キー４１Ｕ、下キー４１Ｄ、左キー４１Ｌ、及び右キー４１Ｒ、及び決定キー４２は、画面に表示されたボタン等のグラフィカルユーザインタフェース（ＧＵＩ）の要素を操作するためのキーである。
【００３６】
図５は、映像コンテンツのリストが表示される画面７１の例を示す。この画面７１には、映像コンテンツを示す項目７４１〜７４６のリストと、プレビューエリア７２と、情報エリア７３とが含まれている。映像コンテンツは、例えば、録画された映像コンテンツである。例えば、リモートコントローラ１７から、上キー４１Ｕ、下キー４１Ｄ、左キー４１Ｌ、及び右キー４１Ｒを押し下げる操作に応じた信号を受信したことによって、映像コンテンツを示す項目７４１〜７４６のリストから１つの項目がフォーカス状態に設定された場合、その１つの項目に対応する映像コンテンツの映像がプレビューエリア７２に表示され、当該映像コンテンツに関する情報が情報エリア７３に表示される。
【００３７】
図５に示す例では、項目７４１がフォーカス状態に設定されている。そのため、プレビューエリア７２には、項目７４１に対応する映像コンテンツ（“○○○○第２話”）の映像が表示され、情報エリア７３にはこの映像コンテンツに関する情報が表示される。
【００３８】
また、映像コンテンツを示す項目７４１〜７４６の内の１つ項目がフォーカス状態に設定されている間に、リモートコントローラ１７から決定キー４２を押し下げる操作に応じた信号を受信した場合には、その項目に対応する映像コンテンツの再生が開始される。図５に示す例では、フォーカス状態の項目７４１に対応する映像コンテンツの映像がＬＣＤ１４の画面全体に表示される。
【００３９】
このような画面７１を用いて映像コンテンツを試聴したユーザは、その映像コンテンツの主題曲等を購入することがあり、また、一部のユーザは、試聴した映像コンテンツの主題曲等を購入する習慣を有している。
【００４０】
ユーザは、例えば、曲を購入するためのウェブページやアプリケーションプログラム（以下、音楽販売ページとも称する）を利用して、販売されている多数の曲からその主題曲等を見つけ出す。そして、ユーザがその見つかった曲を購入する手続きを行うことによって、使用する電子機器に曲をダウンロードすることができる。
【００４１】
しかし、そのような音楽販売ページでは、多数の曲が販売されているので、ユーザが購入したい主題曲を見つけだすことが困難である。また、例えば、音楽販売ページで新曲というカテゴリに分類された曲が示されていたとしても、ユーザは、その曲がいずれの映像コンテンツ（番組）の主題曲であるかを調べる必要があり煩雑である。さらに、ユーザは、主題曲の発売日を把握して、その音楽販売ページにアクセスする必要があるが、発売日を調べることが面倒である場合も多い。そのため、ユーザが発売日を知らなかったり、忘れてしまったりした場合には、その主題曲の購入が遅くなることがある。したがって、ユーザは、主題曲が発売されたかどうかのチェックを忘れたり、購入し忘れたりすることを不安に感じることもある。さらに、ユーザは、例えば、複数のお気に入りの番組の内、どのくらいの番組の主題曲のチェックや購入が完了したかを容易に把握することが困難である。また、デジタルテレビジョン受信機１１で映像コンテンツを視聴しているときに、さらに別の電子機器（例えば、パーソナルコンピュータ、タブレットコンピュータ、スマートフォン、等）を用いて、音楽販売ページにアクセスするための操作を行うことは、ユーザにとって煩雑である。
【００４２】
そのため、本実施形態では、図６に示すように、映像コンテンツのリストが表示される画面（以下、映像コンテンツリスト画面とも称する）８１内に、映像コンテンツを示す項目（以下、コンテンツボタンとも称する）８４１〜８４６、プレビューエリア８２及び情報エリア８３だけでなく、各映像コンテンツに関連付けられた曲の購入（又は曲のリストへの登録）を管理するための項目（以下、曲ボタンとも称する）８４１Ａ，８４１Ｂ，８４２Ｂ，８４３Ａ，８４３Ｂ，８４４Ａ，８４５Ａ，８４５Ｂ，８４６Ａ，８４６Ｂと、各映像コンテンツに関連するウェブページへのリンクを示す項目（以下、リンクボタンとも称する）８４１Ｃ〜８４６Ｃも配置する。この映像コンテンツは、例えば、テレビジョン受信機１１内に記録（録画）された映像コンテンツである。また、映像コンテンツは、番組表に記載される放送予定又は放送済みの番組であってもよい。さらに、映像コンテンツは、インターネットを介して受信（放送）される映像コンテンツや、それがテレビジョン受信機１１内に記録されたものであってもよい。コンテンツボタン８４１〜８４６内には、対応する第１映像コンテンツから第６映像コンテンツのそれぞれを表す情報、例えば、映像コンテンツのタイトルが記述されている。
【００４３】
例えば、リモートコントローラ１７から、上キー４１Ｕ、下キー４１Ｄ、左キー４１Ｌ、及び右キー４１Ｒを押し下げる操作に応じた信号を受信したことによって、コンテンツボタン８４１〜８４６のリストから１つのボタンがフォーカス状態（選択状態）に設定された場合、その１つのボタンに対応する映像コンテンツの映像がプレビューエリア８２に表示され、当該映像コンテンツに関する情報（例えば、タイトル、放送局、放送時間、等）が情報エリア８３に表示される。なお、フォーカス状態に設定されたボタンは、他のボタンとは異なる表示形態（例えば、ボタン上に太線の外枠を描画する、ボタンの背景色を変更する、等）で表示されるので、ユーザはそのボタンを容易に識別することができる。プレビューエリア８２及び情報エリア８３に表示される内容は、フォーカス状態に設定されるボタンの変更に応じて、順次更新される。
【００４４】
図６に示す例では、コンテンツボタン８４１がフォーカス状態に設定されている。そのため、プレビューエリア８２には、コンテンツボタン８４１に対応する第１映像コンテンツ（「○○○○第２話」）の映像が表示され、情報エリア８３にはこの第１映像コンテンツに関する情報が表示される。なお、その際、この第１映像コンテンツの音声がスピーカ１５から出力されてもよい。
【００４５】
コンテンツボタン８４１〜８４６の内の１つボタンがフォーカス状態に設定されている間に、リモートコントローラ１７から決定キー４２を押し下げる操作に応じた信号を受信した場合には、そのボタンに対応する映像コンテンツの再生が開始される。図６に示す例では、フォーカス状態のコンテンツボタン８４１に対応する第１映像コンテンツの映像がＬＣＤ１４の画面全体に表示され、スピーカ１５からその音声が出力される。
【００４６】
また、映像コンテンツを示すコンテンツボタン８４１〜８４６に隣接する位置（例えば、右側）には、それぞれ、その映像コンテンツに関連付けられた曲の曲ボタン８４１Ａ，８４１Ｂ，８４２Ｂ，８４３Ａ，８４３Ｂ，８４４Ａ，８４５Ａ，８４５Ｂ，８４６Ａ，８４６Ｂと、リンクボタン８４１Ｃ〜８４６Ｃとが並べて表示されている。
【００４７】
例えば、第１映像コンテンツ（「○○○○第２話」）のコンテンツボタン８４１の右側には、第１映像コンテンツに関連付けられた曲の購入を管理するための曲ボタン８４１Ａ及び曲ボタン８４１Ｂと、その第１映像コンテンツに関するウェブページへのリンクを示すリンクボタン８４１Ｃとが表示されている。曲ボタン８４１Ａ及び８４１Ｂは、第１映像コンテンツに関連付けられた２つの曲にそれぞれ対応する。
【００４８】
また、例えば、第２映像コンテンツ（「新  ××××  第１話」）のコンテンツボタン８４２の右側には、空白エリア８４２Ａが設けられ、曲ボタンは表示されていない。これは、第２映像コンテンツに関連付けられた１つの曲が未発売であることを表す。さらにその右側には、第２映像コンテンツに関連付けられた別の曲の購入を管理するための曲ボタン８４２Ｂと、その第１映像コンテンツに関するウェブページへのリンクを示すリンクボタン８４２Ｃとが表示されている。
【００４９】
図６に示す例では、１つの映像コンテンツに対して、最大で２曲が関連付けられる場合が示されているが、より多くの曲が関連付けられてもよい、すなわち、より多くの曲ボタンが表示されてもよい。なお、曲ボタンが配置され得る空白エリア８４２Ａ，８４４Ｂは、対応する曲が未発売であること、又は対応する曲がないこと（例えば、曲ボタンを表示可能な数が２つである場合に、ある映像コンテンツに関連付けられた曲が０又は１曲であること）を示す。
【００５０】
各曲ボタン８４１Ａ，８４１Ｂ，８４２Ｂ，８４３Ａ，８４３Ｂ，８４４Ａ，８４５Ａ，８４５Ｂ，８４６Ａ，８４６Ｂには、対応する曲の状態を示すテキストが表示されている。曲ボタン８４１Ａ，８４３Ｂ内の「ＮＥＷ  試聴」は、ユーザが対応する曲をまだ試聴していないことを示す。曲ボタン８４１Ｂ，８４３Ａ，８４６Ａ，８４６Ｂ内の「試聴」は、ユーザが対応する曲を試聴した後、その曲の購入を保留していることを示す。曲ボタン８４２Ｂ内の「非購入」は、ユーザが対応する曲を購入しないことを決定済みであることを示す。曲ボタン８４４Ａ，８４５Ｂ内の「購入済」は、ユーザが対応する曲を購入済みであることを示す。曲ボタン８４５Ａ内の「非対応」は、対応する曲が曲配信サービスによって配信できない曲（曲配信サービスが対応していない曲）であることを示す。
【００５１】
例えば、リモートコントローラ１７から、上キー４１Ｕ、下キー４１Ｄ、左キー４１Ｌ、及び右キー４１Ｒを押し下げる操作に応じた信号を受信したことによって、曲ボタン８４１Ａ，８４１Ｂ，８４２Ｂ，８４３Ａ，８４３Ｂ，８４４Ａ，８４５Ａ，８４５Ｂ，８４６Ａ，８４６Ｂの内の１つのボタンがフォーカス状態に設定された場合、その１つのボタンに対応する第１曲に関連付けられた画像（例えば、ＣＤのジャケット画像）がプレビューエリア８２に表示され、この第１曲に関する情報（例えば、曲名、アーティスト名、価格、等）が情報エリア８３に表示される。また、この場合、第１曲の音源データの再生が開始される。より具体的には、「ＮＥＷ  試聴」の曲ボタン８４１Ａ，８４３Ｂ、「試聴」の曲ボタン８４１Ｂ，８４３Ａ，８４６Ａ，８４６Ｂ、又は「非購入」の曲ボタン８４２Ｂがフォーカス状態に設定された場合、ユーザはその第１曲をまだ購入していないので、試聴版音源データに基づく第１曲がスピーカ１５から出力される。また、「購入済」の曲ボタン８４４Ａ，８４５Ｂがフォーカス状態に設定された場合、ユーザはその第１曲を既に購入しているので、製品版音源データに基づく第１曲がスピーカ１５から出力される。製品版音源データが第１曲全体を再生するためのデータを含んでいるのに対して、試聴版音源データは、例えば、第１曲の一部（例えば、先頭から所定期間の部分、サビの部分、等）を再生するためのデータを含んでいる。なお、購入された第１曲が、例えば、オンライン音楽配信サービスによってネットワークを介して製品版音源データとして提供されるものではなく、音楽メディア（記録媒体）を自宅等に配送するサービスによってＣＤ等として提供される場合には、製品版音源データを再生することができない。そのため、「購入済」の曲ボタン８４４Ａ，８４５Ｂがフォーカス状態に設定された場合にも、試聴版音源データに基づく第１曲がスピーカ１５から出力されるようにしてもよい。
【００５２】
さらに、曲ボタン８４１Ａ，８４１Ｂ，８４２Ｂ，８４３Ａ，８４３Ｂ，８４４Ａ，８４５Ａ，８４５Ｂ，８４６Ａ，８４６Ｂの内の１つのボタンがフォーカス状態に設定されている間に、リモートコントローラ１７から決定キー４２を押し下げる操作に応じた信号を受信した場合には、そのボタンが選択され、後述するように、当該ボタンに対応する曲の購入に関する指示を入力するための購入画面（例えば、ポップアップ、ダイアログボックス、等）が表示される。この購入画面には、曲の購入、非購入、保留を選択するための選択肢（例えば、ボタン）が含まれる。なお、この選択肢は、購入画面ではなく、映像コンテンツリスト画面８１内の所定の領域に表示されてもよい。
【００５３】
ユーザは、このような選択肢（購入画面）に対する操作により、例えば、曲の購入、非購入、保留を選択し、その曲の購入に関する状態を変更することができる。各曲ボタン８４１Ａ，８４１Ｂ，８４２Ｂ，８４３Ａ，８４３Ｂ，８４４Ａ，８４５Ａ，８４５Ｂ，８４６Ａ，８４６Ｂ内のテキストは、変更された状態に基づいて更新されるので、ユーザは、この画面８１内の曲ボタンを見るだけで、対応する曲の購入に関する状態を容易に把握することができる。
【００５４】
なお、空白エリア８４２Ａ，８４４Ｂと、“非対応”の曲ボタン８４５Ａとは、フォーカス状態に設定されないように制御される。例えば、リモートコントローラ１７から、上キー４１Ｕ、下キー４１Ｄ、左キー４１Ｌ、及び右キー４１Ｒを押し下げる操作に応じた信号を受信した場合、これら空白エリア８４２Ａ，８４４Ｂと、「非対応」の曲ボタン８４５Ａとを飛び越えて、フォーカス状態のボタンが変更される。例えば、第２映像コンテンツのコンテンツボタン８４２がフォーカス状態である間に、リモートコントローラ１７から右キー４１Ｒを押し下げる操作に応じた信号を受信した場合、空白エリア８４２Ａではなく、曲ボタン８４２Ｂがフォーカス状態に設定される。また、例えば、第５映像コンテンツのコンテンツボタン８４５がフォーカス状態である間に、リモートコントローラ１７から右キー４１Ｒを押し下げる操作に応じた信号を受信した場合、「非対応」の曲ボタン８４５Ａではなく、曲ボタン８４５Ｂがフォーカス状態に設定される。
【００５５】
次いで、曲ボタンに対する操作に応じた図６から図９までの映像コンテンツリスト画面８１の遷移の例について説明する。
【００５６】
図６に示すように、映像コンテンツリスト画面８１内のコンテンツボタン８４１がフォーカス状態に設定されている間に、リモートコントローラ１７から右キー４１Ｒを押し下げる操作に対応する信号が受信された場合、図７に示すように、このコンテンツボタン８４１の右側に配置された曲ボタン８４１Ａが新たにフォーカス状態に設定される。この曲ボタン８４１Ａは、第１映像コンテンツに関連付けられた曲（以下、第１曲とも称する）の購入に関する状態を示す。この曲ボタン８４１Ａがフォーカス状態に設定されたことに応じて、プレビューエリア８２には第１曲に関連付けられた画像（例えば、ＣＤのジャケット画像）が表示され、情報エリア８３には第１曲に関する情報（例えば、曲名、アーティスト名、価格、等）が表示される。また、曲ボタン８４１Ａには「ＮＥＷ  試聴」のテキストが記述されており、第１曲はユーザがまだ試聴していない曲（未チェックの曲）である。そのため、曲ボタン８４１Ａがフォーカス状態に設定されたことに応じて、その第１曲の試聴版音源データが再生され、再生された音がスピーカ１５から出力される。ユーザは、試聴により、この第１曲を購入するか否かを検討することができる。
【００５７】
次いで、この曲ボタン８４１Ａがフォーカス状態に設定されている間に、リモートコントローラ１７から決定キー４２が押し下げられたことを示す信号が受信された場合、図８に示すように、映像コンテンツリスト画面８１上に重ねて、第１曲の購入の是非を問うポップアップ画面（ダイアログボックス）８６が表示される。このポップアップ画面８６は、テキスト８６１と、「はい」ボタン８６２と、「保留」ボタン８６３と、「いいえ」ボタン８６４とを含む。テキスト８６１は、例えば、第１曲の情報（タイトル、価格、等）を含み、第１曲を購入するか否かを問い合わせる内容を示す。「はい」ボタン８６２は、第１曲を購入するためのボタンである。「保留」ボタン８６３は、第１曲を購入するか否かの選択を保留するためのボタンである。「いいえ」ボタン８６４は、第１曲を購入しないことを決定するためのボタンである。以下では、図８に示すように、「保留」ボタン８６３がフォーカス状態に設定されている場合を例示する。
【００５８】
「保留」ボタン８６３がフォーカス状態に設定されている間に、リモートコントローラ１７から左キー４１Ｌが押し下げられたことを示す信号が受信された場合、第１曲を購入するための「はい」ボタン８６２が新たにフォーカス状態に設定される。そして、リモートコントローラ１７から決定キー４２が押し下げられたことを示す信号がさらに受信された場合、フォーカス状態の「はい」ボタン８６２が選択され、これに応じて、第１曲を購入するための処理が実行される。
【００５９】
第１曲の購入が完了した場合、第１曲の状態は、ユーザによって試聴されていない状態（未チェック）から、購入済みの状態に遷移する。そのため、図９に示すように、第１曲に対応する曲ボタン８４１Ａ内に記述されるテキストも、「ＮＥＷ  試聴」から「購入済」に更新される。
【００６０】
このように、映像コンテンツリスト画面８１には、映像コンテンツを示す項目のリストだけでなく、各映像コンテンツに関連付けられた曲の購入を管理するための項目も含まれている。そのため、ユーザは、映像コンテンツリスト画面８１を用いて、映像コンテンツに関連付けられた曲の購入を容易に管理することができる。
【００６１】
なお、毎週放送される番組のような、１つのシリーズの複数の映像コンテンツには、同一の曲が関連付けられる可能性がある。その場合、映像コンテンツリスト画面８１上に、それら複数の映像コンテンツを示す複数のコンテンツボタンの各々と並べて配置される複数の曲ボタンは、その同一の曲の購入に関する状態を示す。ユーザは、いずれかの曲ボタンに対する操作によって、その曲の購入等を指示することができる。また、同一の曲の購入に関する状態を示す複数の曲ボタンの内の１つの曲ボタンに対する操作によって、その曲の購入に関する状態が変更された場合、それら複数の曲ボタン内に表示されているテキストすべてが、新たな状態を示すテキストに更新される。さらに、あるシリーズの複数の映像コンテンツの各々に対応するコンテンツボタン及び曲ボタンが、それぞれ別のタイミングで映像コンテンツリスト画面に表示される場合にも、それら曲ボタンが同一の曲の購入に関する状態を示すものであるならば、それら曲ボタンには、その同一の曲の購入に関する状態を示す同じテキストが表示されることになる。
【００６２】
次いで、図１０は、録画・再生アプリケーションプログラム６５３Ａの機能構成を示す。この録画・再生アプリケーションプログラム６５３Ａは、上述したように、映像コンテンツの録画・再生機能だけでなく、映像コンテンツに関連付けられた曲の購入を管理するための関連曲管理機能も有する。録画・再生アプリケーションプログラム６５３Ａは、曲情報サーバ２５から、映像コンテンツに関連付けられた曲に関する曲情報２５１と試聴版音源データ２５２とを取得することができる。また、録画・再生アプリケーションプログラム６５３Ａは、曲配信サーバ２６からユーザが購入した曲の製品版音源データ２６２を取得することができる。
【００６３】
録画・再生アプリケーションプログラム６５３Ａは、例えば、録画処理部３１、リスト処理部３２、送信処理部３３Ｔ、受信処理部３３Ｒ、映像コンテンツ再生処理部３４、曲再生処理部３５、等を備える。
【００６４】
録画処理部３１は、指定された映像コンテンツ（番組）を録画するための処理を実行する。ユーザは、例えば、放送予定の番組を示す番組表から、録画したい番組を選択して、その番組の録画を予約することができる。録画処理部３１は、予約された番組の放送時刻と放送局（チャンネル）とに基づいて、その番組に対応するデジタルテレビジョン放送信号を受信し、受信した信号を用いて、当該番組に対応する映像コンテンツデータを不揮発性メモリ６５４に格納する。
【００６５】
また、録画処理部３１は、ネットワークを介して提供される映像コンテンツを録画することもできる。録画処理部３１は、受信処理部３３Ｒを介して、サーバから映像コンテンツデータを受信し、受信した映像コンテンツデータを不揮発性メモリ６５４に格納する。
【００６６】
不揮発性メモリ６５４に格納される映像コンテンツデータ６５４Ａには、映像コンテンツを再生するためのデータ（例えば、映像データ、音声データ、字幕データ、等）だけでなく、その映像コンテンツに関する情報（例えば、タイトル、放送局、放送日時、等）も含まれ得る。
【００６７】
図１１は、映像コンテンツデータ６５４Ａの一構成例を示す。映像コンテンツデータ６５４Ａは、デジタルテレビジョン受信機１１（例えば、不揮発性メモリ６５４）に保存されている複数の映像コンテンツに対応する複数のレコードを含む。各レコードは、例えば、「コンテンツＩＤ」フィールド、「タイトル」フィールド、「放送局」フィールド、「放送日時」フィールド、「映像」フィールド、「音声」フィールド、等を含む。ある映像コンテンツに対応するレコードにおいて、「コンテンツＩＤ」フィールドは、その映像コンテンツに付与された識別情報を示す。「タイトル」フィールドは、その映像コンテンツのタイトル（番組名）を示す。「放送局」フィールドは、その映像コンテンツが放送された放送局の名称を示す。「放送日時」フィールドは、その映像コンテンツが放送された日時を示す。
【００６８】
なお、その映像コンテンツがネットワークを介してサーバから受信されたコンテンツである場合には、「放送局」フィールドの代わりに「サーバ」フィールドを設け、また「放送日時」フィールドの代わりに「受信日時」フィールドが設けられてもよい。「サーバ」フィールドは、その映像コンテンツを提供するサーバを識別するための情報（例えば、サーバの名称、ＵＲＬ、等）を示す。「受信日時」フィールドは、その映像コンテンツが受信された日時を示す。
【００６９】
「映像」フィールドは、その映像コンテンツ内の映像を再生するための映像データを示す。「映像」フィールドには、その映像データ自体が設定されてもよいし、その映像データの格納場所を示す値（ファイルパス）が設定されてもよい。「音声」フィールドは、その映像コンテンツ内の音声を再生するための音声データを示す。「音声」フィールドには、その音声データ自体が設定されてもよいし、その音声データの格納場所を示す値（ファイルパス）が設定されてもよい。
【００７０】
リスト処理部３２は、デジタルテレビジョン受信機１１上で再生可能な映像コンテンツを示す項目と、その映像コンテンツに関連付けられた曲を示す項目とのリストを表示する。以下では、デジタルテレビジョン受信機１１上で再生可能な映像コンテンツが、デジタルテレビジョン受信機１１によって録画された映像コンテンツ（番組）である場合を例示する。
【００７１】
まず、リスト処理部３２は、送信処理部３３Ｔ及び受信処理部３３Ｒを介して、映像コンテンツに関連付けられた曲に関する曲情報を受信する。より具体的には、リスト処理部３２は、送信処理部３３Ｔを介して、曲情報サーバ２５に、録画された映像コンテンツに関連付けられた曲に関する曲情報の提供を要求する。リスト処理部３２は、送信処理部３３Ｔを介して、例えば、録画された映像コンテンツを識別するためのコンテンツ識別情報（例えば、コンテンツＩＤ、タイトル、放送局、放送日時、等）を曲情報サーバ２５に送信する。
【００７２】
曲情報サーバ２５は、送信されたコンテンツ識別情報を受信する。曲情報サーバ２５は、受信したコンテンツ識別情報に示される映像コンテンツに関連付けられた曲に関する曲情報を、デジタルテレビジョン受信機１１に送信する。曲情報サーバ２５には、例えば、映像コンテンツと曲との対応関係を示す曲情報２５１と、各曲の試聴版音源データ２５２とが格納されている。曲情報２５１は、複数の曲に対応する複数のレコードを含み、各レコードは、例えば、各曲の曲ＩＤ、タイトル（曲名）、アーティスト名、その曲が関連付けられた映像コンテンツを示す情報、発売日、価格、等を含んでいる。曲情報サーバ２５は、曲情報２５１から、受信したコンテンツ識別情報に示される映像コンテンツに対応するレコードを取得する。また、曲情報サーバ２５は、受信したコンテンツ識別情報に示される映像コンテンツに対応する試聴版音源データ２５２を取得する。そして、曲情報サーバ２５は、取得された曲情報２５１のレコードと試聴版音源データ２５２（すなわち、受信したコンテンツ識別情報に示される映像コンテンツに対応する曲情報２５１のレコードと試聴版音源データ２５２）をデジタルテレビジョン受信機１１に送信する。
【００７３】
リスト処理部３２は、受信処理部３３Ｒを介して、曲情報サーバ２５によって送信された曲情報２５１のレコードと試聴版音源データ２５２とを受信する。リスト処理部３２は、受信した曲情報２５１のレコードと試聴版音源データ２５２とを用いて、不揮発性メモリ６５４に格納される曲情報６５４Ｂのレコードを作成し、そのレコードを曲情報６５４Ｂに追加する。これにより、映像コンテンツリスト画面８１が再度表示される場合には、曲情報サーバ２５から既に取得された曲情報を、曲情報サーバ２５にアクセスすることなく、不揮発性メモリ６５４から取得することができる。
【００７４】
図１２は、曲情報６５４Ｂの一構成例を示す。曲情報６５４Ｂは、複数の曲に対応する複数のレコードを含む。それら複数の曲の各々は、デジタルテレビジョン受信機１１に保存されている複数の映像コンテンツのいずれかに関連付けられている。各レコードは、例えば、「曲ＩＤ」フィールド、「タイトル」フィールド、「アーティスト」フィールド、「価格」フィールド、「発売日」フィールド、「試聴版音源」フィールド、「コンテンツＩＤ」フィールド、「状態」フィールド、「製品版音源」フィールド、等を含む。
【００７５】
ある曲に対応するレコードにおいて、「曲ＩＤ」フィールドは、その曲に付与された識別情報を示す。「タイトル」フィールドは、その曲のタイトル（曲名）を示す。「アーティスト」フィールドは、その曲を演奏又は歌唱するアーティストの名前を示す。「価格」フィールドは、その曲の価格を示す。「発売日」フィールドは、その曲の発売日を示す。「試聴版音源」フィールドは、その曲の試聴版の音源データを示す。「試聴版音源」フィールドには、その曲の試聴版の音源データ自体が設定されてもよいし、そのデータの格納場所を示す値（ファイルパス）が設定されてもよい。「コンテンツＩＤ」フィールドは、その曲が関連付けられた映像コンテンツに付与された識別情報を示す。この「コンテンツＩＤ」フィールドには、映像コンテンツデータ６５４Ａに含まれるいずれかのレコードの「コンテンツＩＤ」フィールドの値が設定される。
【００７６】
「状態」フィールドは、その曲の状態を示す。「状態」フィールドには、例えば、“未発売”、“未チェック”、“保留中”、“非購入決定済み”、“購入済み”、及び“非対応”のいずれかが設定される。「製品版音源」フィールドは、その曲の製品版の音源データを示す。「製品版音源」フィールドには、例えば、その曲が購入されることによって、曲配信サーバ２６から製品版音源データ２６２がダウンロードされた場合に、値が設定される。「製品版音源」フィールドには、その曲の製品版の音源データ自体が設定されてもよいし、そのデータの格納場所を示す値（ファイルパス）が設定されてもよい。
【００７７】
また、リスト処理部３２は、受信された曲情報２５１のレコードを用いて、録画された映像コンテンツを示す項目（コンテンツボタン）と、その映像コンテンツに関連付けられた曲を示す項目（曲ボタン）とが並べて配置された映像コンテンツリスト画面８１をＬＣＤ１４に表示する。曲を示す各ボタン（曲ボタン）は、その曲の購入に関する状態を表す。なお、曲を示す各ボタン（曲ボタン）は、その曲の登録に関する状態を表してもよい。この登録は、例えば、ユーザが再生したい曲のお気に入りリスト（プレイリスト）への登録である。また、リスト処理部３２は、既に曲情報が受信されていた場合には、曲情報６５４Ｂのレコードを用いて、映像コンテンツリスト画面８１を表示してもよい。
【００７８】
リスト処理部３２は、送信処理部３３Ｔ及び受信処理部を介して、例えば、第１映像コンテンツに関連付けられた第１曲に関する第１曲情報と、第２映像コンテンツに関連付けられた第２曲に関する第２曲情報とを受信する。その場合、リスト処理部３２は、それら第１曲情報と第２曲情報とを用いて、第１映像コンテンツを示す第１項目と第１曲の購入又は登録に関する状態を示す第２項目とが並べて配置され、第２映像コンテンツを示す第３項目と第２曲の購入又は登録に関する状態を示す第４項目とが並べて配置された映像コンテンツリスト画面（第１画面）をＬＣＤ１４に表示する。
【００７９】
上述したように、曲情報には対応する曲の発売日が含まれている。例えば、第１曲情報は、第１曲の発売日を含む。リスト処理部３２は、現在の日付がその発売日より前である場合、第１曲の購入又は登録に関する状態を示す第２項目が配置されていない映像コンテンツリスト画面を表示し、現在の日付がその発売日以降である場合、第２項目が配置された映像コンテンツリスト画面をＬＣＤ１４に表示する。
【００８０】
また、第１曲の購入又は登録に関する状態を示す第２項目は、第１曲がまだ試聴されていない未チェックの状態（第１状態）と、第１曲の購入又は登録が保留されている状態（第２状態）と、第１曲を購入又は登録しないことが決定済みである状態（第３状態）と、第１曲が購入済み又は登録済みである状態（第４状態）のいずれかの状態を示す。リスト処理部３２は、第１曲が発売された後に、この第２項目が画面に初めて表示される場合には、第１曲がまだ試聴されていない未チェックの状態（第１状態）であることを示す第２項目を映像コンテンツリスト画面に配置する。
【００８１】
同様に、第２曲の購入又は登録に関する状態を示す第４項目は、第２曲がまだ試聴されていない未チェックの状態（第１状態）と、第２曲の購入又は登録が保留されている状態（第２状態）と、第２曲を購入又は登録しないことが決定済みである状態（第３状態）と、第２曲が購入済み又は登録済みである状態（第４状態）のいずれかの状態を示す。リスト処理部３２は、第２曲が発売された後に、この第４項目が画面に初めて表示される場合には、第２曲がまだ試聴されていない未チェックの状態（第１状態）であることを示す第４項目を映像コンテンツリスト画面に配置する。
【００８２】
リスト処理部３２は、曲の状態に応じて、映像コンテンツリスト画面８１内の、曲を示す曲ボタン（項目）の表示形態を変更する。また、リスト処理部３２、映像コンテンツ再生処理部３４及び曲再生処理部３５は、ＬＣＤ１４に表示された映像コンテンツリスト画面８１に対する、ユーザによる操作に応じた処理を実行する。
【００８３】
図１３を参照して、曲の状態毎に、曲ボタンの表示例、曲ボタンがフォーカスされた場合の動作、及び曲ボタンがフォーカスされている間に決定キーが押し下げられた場合の動作（すなわち、選択された場合の動作）を説明する。
【００８４】
図１３に示すように、曲が未発売である場合には、リスト処理部３２は、その曲に対応する曲ボタンを映像コンテンツリスト画面８１に表示（配置）しない。
【００８５】
曲が未チェックである場合、リスト処理部３２は、「ＮＥＷ  試聴」のテキストを含む曲ボタンを画面８１に表示する。曲が未チェックである場合とは、例えば、曲の発売後にユーザがまだその曲を視聴していない場合、又は曲の発売日からしきい値期間（例えば、１週間）以内であり、且つユーザがまだその曲を視聴していない場合である。
【００８６】
曲の購入が保留中である場合、リスト処理部３２は、「試聴」のテキストを含む曲ボタンを画面８１に表示する。曲の購入が保留中である場合とは、例えば、ユーザがその曲の購入を保留している場合、又は曲の発売日からしきい値期間（例えば、１週間）が経過し、且つユーザがまだその曲を視聴していない場合である。
【００８７】
曲が非購入決定済みである場合、リスト処理部３２は、「非購入」のテキストを含む曲ボタンを画面８１に表示する。曲が非購入決定済みである場合とは、例えば、ユーザが、その曲の購入の是非を問うポップアップ画面上で、その曲を購入しないことを既に選択していた場合である。
【００８８】
また、未チェック、保留中、又は非購入決定済みの状態である曲の曲ボタンがフォーカスされた場合、リスト処理部３２は、対応する曲の情報を画面８１内のプレビューエリア８２及び情報エリア８３に表示し、曲再生処理部３５は、その曲の試聴版音源データを再生する。未チェック、保留中、又は非購入決定済みの状態である曲の曲ボタンがフォーカスされている間に、リモートコントローラ１７から決定キー４２が押し下げられたことを示す信号が受信された場合、リスト処理部３２は、その曲の購入の是非を問うポップアップ画面８６を表示する。このポップアップ画面８６には、例えば、曲を購入することと、曲を購入しないことと、曲を購入するか否かの選択を保留することとのいずれかを選択するためのボタンが設けられている。ユーザは、このようなポップアップ画面８６に対する操作により、曲の購入に関する選択を行うことができる。リスト処理部３２は、この選択に応じて、対応する曲の状態を変更する。リスト処理部３２は、例えば、不揮発性メモリ６５４に格納された曲情報６５４Ｂ内の、その曲に対応するレコード内の「状態」フィールドの値を、変更後の状態を示す値に書き換える。
【００８９】
さらに、曲が購入済みである場合、リスト処理部３２は、「購入済」のテキストを含む曲ボタンを画面８１に表示する。曲が購入済みである場合とは、例えば、ユーザが、その曲の購入の是非を問うポップアップ画面８６上で、その曲を購入すること（例えば、「はい」ボタン８６２）を既に選択していた場合である。購入済みの状態である曲の曲ボタンがフォーカスされた場合、リスト処理部３２は、対応する曲の情報を画面８１内のプレビューエリア８２及び情報エリア８３に表示し、曲再生処理部３５は、その曲の製品版音源データを再生する。購入済みの状態である曲の曲ボタンがフォーカスされている間に、リモートコントローラ１７から決定キー４２が押し下げられたことを示す信号が受信された場合には、対応する曲が既に購入されているので、いずれの動作も行われない。
【００９０】
また、曲が非対応である場合、リスト処理部３２は、「非対応」のテキストを含む曲ボタンを画面８１に表示する。曲が非対応である場合とは、例えば、ネットワーク上の曲配信サービスでその曲が取り扱われていない場合である。「非対応」のテキストを含む曲ボタンは、上述したように、フォーカス状態に設定されないように制御される。
【００９１】
このように、映像コンテンツリスト画面８１上に、曲の購入に関する状態を示す曲ボタンが表示されるので、ユーザは、映像コンテンツリストに関連付けられた曲の購入を容易に管理することができる。なお、各ボタンのデザインは一例であり、曲の購入に関する状態を識別可能であればどのようなデザインであってもよい。また、各ボタンに、曲に関連する画像（例えば、ＣＤのジャケット画像）が含まれていてもよいし、そのような画像上に、曲の購入に関する状態を示すテキストが重ね合わせて描画されるようにしてもよい。
【００９２】
次いで、図１４を参照して、ある曲（以下、第１曲と称する）の状態が遷移する例について説明する。未発売の状態Ｔ１から未チェックの状態Ｔ２への遷移は、発売日に基づく自動的な遷移である。また、未チェックの状態Ｔ２、保留中の状態Ｔ３、非購入決定済みの状態Ｔ４、及び購入済み状態Ｔ５の各々の間の遷移は、ユーザによる操作に基づく遷移である。
【００９３】
より具体的には、第１曲が未発売の状態Ｔ１である場合、第１曲が発売されたことに応じて（例えば、現在の日付が第１曲の発売日以降になったことに応じて）、第１曲の状態は、未チェックの状態Ｔ２に遷移する。
【００９４】
未チェックの状態Ｔ２である第１曲に対応する曲ボタンが選択された場合には、第１曲の購入に関するポップアップ画面８６が表示される。このポップアップ画面８６上で第１曲を購入するか否かを保留するための「保留」ボタン８６３が選択された場合、又は第１曲が発売されてから所定の日数（例えば、１週間）が経過した場合、第１曲の状態は、未チェックの状態Ｔ２から保留中の状態Ｔ３に遷移する。
【００９５】
また、このポップアップ画面８６上で第１曲を購入しないことを決定するための「いいえ」ボタン８６４が選択された場合、第１曲の状態は、未チェックの状態Ｔ２から非購入決定済みの状態Ｔ４に遷移する。
【００９６】
さらに、このポップアップ画面８６上で第１曲を購入するための「はい」ボタン８６２が選択された場合、第１曲の状態は、未チェックの状態Ｔ２から購入済みの状態Ｔ５に遷移する。
【００９７】
保留中の状態Ｔ３である第１曲に対応する曲ボタンが選択された場合には、第１曲の購入に関するポップアップ画面８６が表示される。このポップアップ画面８６上で第１曲を購入するか否かを保留するための「保留」ボタン８６３が選択された場合、第１曲の状態は、保留中の状態Ｔ３に維持される。
【００９８】
また、このポップアップ画面８６上で第１曲を購入しないことを決定するための「いいえ」ボタン８６４が選択された場合、第１曲の状態は、保留中の状態Ｔ３から非購入決定済みの状態Ｔ４に遷移する。
【００９９】
さらに、このポップアップ画面８６上で第１曲を購入するための「はい」ボタン８６２が選択された場合、第１曲の状態は、保留中の状態Ｔ３から購入済みの状態Ｔ５に遷移する。
【０１００】
非購入決定済みの状態Ｔ４である第１曲に対応する曲ボタンが選択された場合には、第１曲の購入に関するポップアップ画面８６が表示される。このポップアップ画面８６上で第１曲を購入するか否かを保留するための「保留」ボタン８６３が選択された場合、第１曲の状態は、非購入決定済みの状態Ｔ４から保留中の状態Ｔ３に遷移する。
【０１０１】
また、このポップアップ画面８６上で第１曲を購入しないことを決定するための「いいえ」ボタン８６４が選択された場合、第１曲の状態は、非購入決定済みの状態Ｔ４に維持される。
【０１０２】
さらに、このポップアップ画面８６上で第１曲を購入するための「はい」ボタン８６２が選択された場合、第１曲の状態は、非購入決定済みの状態Ｔ４から購入済みの状態Ｔ５に遷移する。
【０１０３】
リスト処理部３２は、このような曲の状態の遷移に応じて、曲情報６５４Ｂ内の、第１曲に対応するレコードの「状態」フィールドに設定される値を書き換え、また映像コンテンツリスト画面８１に表示される第１曲の曲ボタンに記述されるテキストを更新する。なお、デジタルテレビジョン受信機１１以外の、例えば、モバイル機器２１上で第１曲が購入された場合には、デジタルテレビジョン受信機１１上でのユーザによる操作に関わらず、第１曲の状態が、未チェックの状態Ｔ２等を経由せずに、購入済みの状態Ｔ５に設定される。
【０１０４】
また、リスト処理部３２は、ポップアップ画面８６を用いて曲を購入すること（例えば、「はい」ボタン８６２）を選択する操作が行われた場合、送信処理部３３Ｔ及び受信処理部３３Ｒを介して、曲配信サーバ２６上でその曲を購入するための処理を実行する。より具体的には、リスト処理部３２は、曲配信サーバ２６との間でユーザ認証を行う。曲配信サーバ２６には、例えば、この曲配信サーバ２６から曲を購入（ダウンロード）しようとする複数のユーザに対応する複数のレコードを含むユーザ情報２６１が予め格納（登録）されている。あるユーザに対応するユーザ情報２６１のレコードには、例えば、そのユーザのユーザＩＤ及びパスワードが含まれている。
【０１０５】
リスト処理部３２は、送信処理部３３Ｔを介して、不揮発性メモリ６５４に格納されたユーザ情報６５４Ｃや、ユーザによって入力されたユーザ情報（例えば、ユーザＩＤ及びパスワード）を送信する。曲配信サーバ２６は、例えば、ユーザ情報２６１のあるレコードに示されるユーザＩＤ及びパスワードが、テレビジョン受信機１１（リスト処理部３２）から送信されたユーザＩＤ及びパスワードとそれぞれ一致する場合に、そのユーザによる曲の購入を承認し、そのユーザが使用するテレビジョン受信機１１に、その曲の製品版音源データ２６２が送信（ダウンロード）されることを許可する。
【０１０６】
図１５は、ユーザ情報６５４Ｃの一構成例を示す。このユーザ情報６５４Ｃは、ユーザが、映像コンテンツに関連付けられた曲の配信サービスを利用するための情報を含む。ユーザ情報６５４Ｃは、少なくとも１人のユーザに対応する少なくとも１つのレコードを含む。各レコードは、例えば、「ユーザＩＤ」フィールド、「ユーザ名」フィールド、「パスワード」フィールド、「購入履歴」フィールド、等を含む。あるユーザに対応するレコードにおいて、「ユーザＩＤ」フィールドは、そのユーザに付与された識別情報を示す。「ユーザ名」フィールドは、そのユーザのユーザ名（アカウント名）を示す。「パスワード」フィールドは、そのユーザが曲の配信サービスを利用する際の認証に用いられるパスワードを示す。「パスワード」フィールドには、セキュリティ対策のためにデジタルテレビジョン受信機１１内にパスワードを保存しない場合、値が設定されなくてもよい。「購入履歴」フィールドは、そのユーザが購入した曲の履歴を示す。
【０１０７】
なお、曲配信サーバ２６に格納されるユーザ情報２６１の各レコードにも「購入履歴」フィールドが設けられ得る。この「購入履歴」フィールドに示される履歴を用いることにより、ユーザは、例えば、曲を購入する手続きを行ったデジタルテレビジョン受信機１１上に、その曲の製品版音源データを再度ダウンロードすることや、そのユーザが利用する別のモバイル機器２２にその曲の製品版音源データをダウンロードすることができる。
【０１０８】
また、映像コンテンツ再生処理部３４は、映像コンテンツリスト画面８１内の１つのコンテンツボタンが選択された場合に、そのボタンに対応する映像コンテンツを再生する。映像コンテンツ再生処理部３４は、その映像コンテンツに対応する映像データに基づく映像を、ＬＣＤ１４の画面に表示する。また、映像コンテンツ再生処理部３４は、その映像コンテンツに対応する音声データに基づく音声を、スピーカ１５から出力する。
【０１０９】
曲再生処理部３５は、映像コンテンツリスト画面８１内の１つの曲ボタンがフォーカスされた場合に、その曲の状態に応じて、試聴版音源データと製品版音源データのいずれかを用いて曲を再生する。曲再生処理部３５は、例えば、未チェック（第１状態）、保留中（第２状態）、又は非購入決定済み（第３状態）を示す曲ボタンがフォーカスされた場合には、その曲の試聴版音源データを再生することにより、試聴版音源データに基づく音声をスピーカ１５から出力する。曲再生処理部３５は、例えば、購入済み（第４状態）を示す曲ボタンがフォーカスされた場合には、その曲の製品版音源データを再生することにより、製品版音源データに基づく音声をスピーカ１５から出力する。
【０１１０】
以上の構成により、映像コンテンツリスト画面８１に、映像コンテンツを示すコンテンツボタンと、その映像コンテンツに関連付けられた曲（例えば、主題曲）の購入に関する状態を示す曲ボタンとが並べて配置されるので、デジタルテレビジョン受信機１１以外の電子機器を使用することなく、その曲の試聴と購入が可能になる。また、この映像コンテンツリスト画面８１に曲ボタンが表示されているか否かによって、対応する曲が発売されているかどうかを把握することができるので、ユーザは曲の発売日を調べる必要がない。また、ユーザは、例えば、ある映像コンテンツを試聴（再生）しようとして映像コンテンツリスト画面８１を表示させたときに、その映像コンテンツ関連付けられた曲だけでなく、別の映像コンテンツに関連付けられた曲が発売されていることに気付くこともできる。つまり、ユーザは、複数の映像コンテンツのいずれかに関連付けられた複数の曲が発売されたか否かを、映像コンテンツリスト画面８１を見るだけで一度に把握することができる。また、ユーザは、複数の映像コンテンツのいずれかに関連付けられた複数の曲をチェック（試聴）したかどうか、購入したかどうか、等を、映像コンテンツリスト画面８１を見るだけで一度に把握することができる。
【０１１１】
なお、上述した構成は、デジタルテレビジョン受信機１１に限らず、映像コンテンツを録画する機能を有するビデオレコーダとして実現されてもよい。その場合、ビデオレコーダは、映像コンテンツリスト画面８１を表示するための映像信号を、ビデオレコーダに接続されたディスプレイ（テレビジョン受信機）に出力する。これにより、そのディスプレイに映像信号に基づく映像コンテンツリスト画面８１を表示することができる。
【０１１２】
次いで、図１６を参照して、ユーザによる操作に応じたユーザ操作処理の手順の例を説明する。
【０１１３】
まず、ＣＰＵ６５１は、映像コンテンツリストの表示が要求されたか否かを判定する（ブロックＢ１０１）。ＣＰＵ６５１は、例えば、リモートコントローラ１７の録画リストキー４０が押し下げられたことを示す信号が受光部１８を介して受信された場合に、映像コンテンツリストの表示が要求されたと判定する。映像コンテンツリストの表示が要求されていない場合（ブロックＢ１０１のＮｏ）、ブロックＢ１０１に戻り、映像コンテンツリストの表示が要求されたか否かが再度判定される。
【０１１４】
映像コンテンツリストの表示が要求されている場合（ブロックＢ１０１のＹｅｓ）、ＣＰＵ６５１は、映像コンテンツリストをＬＣＤ１４の画面に表示するための映像コンテンツリスト表示処理を実行する（ブロックＢ１０２）。ＣＰＵ６５１は、例えば、不揮発性メモリ６５４に保存されている複数の映像コンテンツを示す複数の映像コンテンツボタンと、それら複数の映像コンテンツの各々に関連付けられた曲を示す複数の曲ボタンとを含む映像コンテンツリストを表示する。この映像コンテンツリストには、各映像コンテンツの関連商品が購入できるウェブページを示す複数のリンクボタンがさらに含まれてもよい。表示される映像コンテンツリスト内のボタンは、例えば、リモートコントローラ１７上のキーを用いた操作によって、フォーカスや選択（決定）が指示される。映像コンテンツリスト表示処理の詳細な手順については、図１７のフローチャートを参照して後述する。
【０１１５】
次いで、ＣＰＵ６５１は、映像コンテンツボタンがフォーカスされたか否かを判定する（ブロックＢ１０３）。ＣＰＵ６５１は、例えば、リモートコントローラ１７上の上キー４１Ｕ、下キー４１Ｄ、左キー４１Ｌ、又は右キー４１Ｒを押し下げる操作に応じて、フォーカスされるボタン（項目）が変更されることによって、映像コンテンツボタンがフォーカス状態に設定された場合に、その映像コンテンツボタンがフォーカスされたと判定する。
【０１１６】
映像コンテンツボタンがフォーカスされた場合（ブロックＢ１０３のＹｅｓ）、ＣＰＵ６５１は、その映像コンテンツボタンに対応する映像コンテンツをプレビュー再生する（ブロックＢ１０４）。そして、ＣＰＵ６５１は、そのフォーカスされた映像コンテンツボタンが選択されたか否かを判定する（ブロックＢ１０５）。ＣＰＵ６５１は、映像コンテンツボタンがフォーカス状態に設定されている間に、例えば、リモートコントローラ１７上の決定キー４２を押し下げる操作に応じて、フォーカスされている映像コンテンツボタンが選択された場合に、その映像コンテンツボタンが選択されたと判定する。
【０１１７】
映像コンテンツボタンが選択された場合（ブロックＢ１０５のＹｅｓ）、ＣＰＵ６５１は、その選択された映像コンテンツボタンに対応する映像コンテンツを再生する（ブロックＢ１０６）、例えば、映像コンテンツの映像をＬＣＤ１４の画面に表示し、当該映像コンテンツの音声をスピーカ１５から出力する。
【０１１８】
映像コンテンツボタンが選択されていない場合（ブロックＢ１０５のＮｏ）、ブロックＢ１０３に戻り、映像コンテンツボタンがフォーカスされたか否かが再度判定される。
【０１１９】
また、映像コンテンツボタンがフォーカスされていない場合（ブロックＢ１０３のＮｏ）、ＣＰＵ６５１は、リンクボタンが選択されたか否かを判定する（ブロックＢ１０７）。ＣＰＵ６５１は、リンクボタンが、リモートコントローラ１７上の上キー４１Ｕ、下キー４１Ｄ、左キー４１Ｌ、又は右キー４１Ｒを押し下げる操作に応じて、フォーカスされ、さらに、決定キー４２を押し下げる操作に応じて選択された場合に、そのリンクボタンが選択されたと判定する。リンクボタンが選択された場合（ブロックＢ１０７のＹｅｓ）、ＣＰＵ６５１は、そのリンクボタンに対応する映像コンテンツの関連商品のウェブページを画面に表示する（ブロックＢ１０８）。ＣＰＵ６５１は、例えば、対応する映像コンテンツの関連商品のウェブページのＵＲＬに基づいて、通信デバイス６６を介して、そのウェブページのデータを受信し、受信したデータに基づくウェブページを画面に表示する。
【０１２０】
リンクボタンが選択されていない場合（ブロックＢ１０７のＮｏ）、ＣＰＵ６５１は、曲ボタンがフォーカスされたか否かを判定する（ブロックＢ１０９）。ＣＰＵ６５１は、例えば、リモートコントローラ１７上の上キー４１Ｕ、下キー４１Ｄ、左キー４１Ｌ、又は右キー４１Ｒを押し下げる操作に応じて、フォーカスされるボタン（項目）が変更されることによって、曲ボタンがフォーカス状態に設定された場合に、その曲ボタンがフォーカスされたと判定する。
【０１２１】
曲ボタンがフォーカスされた場合（ブロックＢ１０９のＹｅｓ）、ＣＰＵ６５１は、その曲ボタンに対応するフォーカス処理を実行する（ブロックＢ１１０）。このフォーカス処理は、曲ボタンに対応する曲の情報を画面に表示し、その曲の試聴版音源又は製品版音源を再生する処理である。このフォーカス処理の手順は、図１８のフローチャートを参照して後述する。
【０１２２】
そして、ＣＰＵ６５１は、そのフォーカスされた曲ボタンが選択されたか否かを判定する（ブロックＢ１１１）。ＣＰＵ６５１は、曲ボタンがフォーカス状態に設定されている間に、例えば、リモートコントローラ１７上の決定キー４２を押し下げる操作に応じて、フォーカスされている曲ボタンが選択された場合に、その曲ボタンが選択されたと判定する。
【０１２３】
曲ボタンが選択された場合（ブロックＢ１１１のＹｅｓ）、ＣＰＵ６５１は、その選択された曲ボタンに対応する曲の選択処理を実行する（ブロックＢ１１２）。この選択処理は、その曲の購入を管理するための処理である。この選択処理の手順は、図１９のフローチャートを参照して後述する。
【０１２４】
また、曲ボタンがフォーカスされていない場合（ブロックＢ１０９のＮｏ）、又は曲ボタンが選択されていない場合（ブロックＢ１１１のＮｏ）、ブロックＢ１０３に戻り、映像コンテンツリスト内の各ボタンがフォーカス又は選択されたか否かに応じた処理が続行される。
【０１２５】
図１７のフローチャートは、映像コンテンツリスト表示処理の手順の例を示す。
【０１２６】
まず、ＣＰＵ６５１は、不揮発性メモリ６５４から映像コンテンツデータ６５４Ａを読み出す（ブロックＢ２１）。次に、ＣＰＵ６５１は、読み出された映像コンテンツデータ６５４Ａを用いて、映像コンテンツに関連付けられた曲の曲情報６５４Ｂが不揮発性メモリ６５４に保存されているか否かを判定する（ブロックＢ２２）。ＣＰＵ６５１は、例えば、映像コンテンツデータ６５４Ａのレコードの「コンテンツＩＤ」フィールドの値と、曲情報６５４Ｂのレコードの「コンテンツＩＤ」フィールドの値とが一致する場合、そのコンテンツＩＤの映像コンテンツに関連付けられた曲情報６５４Ｂ（曲情報６５４Ｂのレコード）が不揮発性メモリ６５４に保存されていると判定する。
【０１２７】
映像コンテンツに関連付けられた曲の曲情報６５４Ｂが不揮発性メモリ６５４に保存されている場合（ブロックＢ２２のＹｅｓ）、ＣＰＵ６５１は、その曲情報６５４Ｂを読み出す（ブロックＢ２３）。映像コンテンツに関連付けられた曲の曲情報６５４Ｂが不揮発性メモリ６５４に保存されていない場合（ブロックＢ２２のＮｏ）、ＣＰＵ６５１は、通信デバイス６６を介して、曲情報サーバ２５からその映像コンテンツに関連付けられた曲の曲情報２５１を受信し、不揮発性メモリ６５４に保存する（曲情報６５４Ｂに追加する）（ブロックＢ２４）。
【０１２８】
次いで、ＣＰＵ６５１は、ブロックＢ１１で読み出された映像コンテンツデータ６５４Ａを用いて、曲情報が取得されていない他の映像コンテンツがあるか否かを判定する（ブロックＢ２５）。曲情報が取得されていない他の映像コンテンツがある場合（ブロックＢ２５のＹｅｓ）、ブロックＢ２２に戻り、その映像コンテンツの曲情報を取得するための処理が実行される。
【０１２９】
一方、曲情報が取得されていない他の映像コンテンツがない場合、すなわち、読み出された映像コンテンツデータ６５４Ａに示されるすべての映像コンテンツに関連付けられた曲の曲情報が取得された場合（ブロックＢ２５のＮｏ）、ＣＰＵ６５１は、映像コンテンツを示すボタンと、その映像コンテンツに関連付けられた曲を示すボタンとのリストをＬＣＤ１４の画面に表示する（ブロックＢ２６）。
【０１３０】
図１８のフローチャートは、映像コンテンツリスト画面内の曲を示す曲ボタン（項目）がフォーカスされた場合のフォーカス処理の手順の例を示す。
【０１３１】
まず、ＣＰＵ６５１は、映像コンテンツリスト画面の情報エリアに、そのフォーカスされたボタンに対応する曲（以下、フォーカスされた曲とも称する）の情報を表示する（ブロックＢ３１）。表示される曲の情報は、例えば、タイトル（曲名）、アーティスト名、価格、等を含む。
【０１３２】
次いで、ＣＰＵ６５１は、フォーカスされた曲が購入済みであるか否かを判定する（ブロックＢ３２）。ＣＰＵ６５１は、例えば、フォーカスされた曲に対応する曲情報６５４Ｂのレコードに含まれる、「状態」フィールドの値を読み出す。ＣＰＵ６５１は、この「状態」フィールドに“購入済み”が設定されている場合に、フォーカスされた曲が購入済みであると判定する。また、ＣＰＵ６５１は、この「状態」フィールドに“未チェック”、“保留中”、又は“非購入決定済み”が設定されている場合に、フォーカスされた曲が購入されていないと判定する。
【０１３３】
フォーカスされた曲が購入済みである場合（ブロックＢ３２のＹｅｓ）、ＣＰＵ６５１は、製品版音源データを再生する（ブロックＢ３３）。これにより、スピーカ１５からそのフォーカスされた曲が出力される。
【０１３４】
フォーカスされた曲が購入されていない場合（ブロックＢ３２のＮｏ）、ＣＰＵ６５１は、試聴版音源データを再生する（ブロックＢ３４）。これにより、スピーカ１５から、例えば、試聴のために提供される曲の一部が出力される。
【０１３５】
また、図１９のフローチャートは、選択処理の手順の例を示す。この選択処理は、映像コンテンツリスト内の１つの曲ボタンが選択された場合に実行される。
【０１３６】
ＣＰＵ６５１は、選択された曲ボタンに対応する曲が購入済みであるか否かを判定する（ブロックＢ４０１）。ＣＰＵ６５１は、不揮発性メモリ６５４に格納された曲情報６５４Ｂから、その曲に対応するレコードの「状態」フィールドに設定された値を読み出す。そして、ＣＰＵ６５１は、読み出された値が購入済みを示す場合に、その曲が購入済みであると判定する。選択された曲ボタンに対応する曲が購入済みである場合（ブロックＢ４０１のＹｅｓ）、選択処理を終了する。
【０１３７】
選択された曲ボタンに対応する曲が購入済みでない場合（ブロックＢ４０１のＮｏ）、ＣＰＵ６５１は、その曲の購入に関するポップアップを画面に表示する（ブロックＢ４０２）。このポップアップには、図８に例示したポップアップ８６のように、例えば、その曲の情報（例えば、曲名、価格、等）８６１、その曲を購入するための「はい」ボタン８６２、その曲の購入を保留するための「保留」ボタン８６３、その曲を購入しないことを決定するための「いいえ」ボタン８６４が含まれている。
【０１３８】
そして、ＣＰＵ６５１は、このポップアップ８６内の「はい」ボタン８６２が選択されたか否かを判定する（ブロックＢ４０３）。ＣＰＵ６５１は、例えば、リモートコントローラ１７上のキーの操作に応じて、「はい」ボタン８６２がフォーカスされ、選択された場合に、「はい」ボタン８６２が選択されたと判定する。
【０１３９】
「はい」ボタン８６２が選択された場合（ブロックＢ４０３のＹｅｓ）、ＣＰＵ６５１は、通信デバイス６６を介して、曲配信サーバ２６からその曲の製品版音源データを受信し、デジタルテレビジョン受信機１１内（例えば、不揮発性メモリ６５４）に保存する（ブロックＢ４０４）。ＣＰＵ６５１は、例えば、曲配信サーバ２６から製品版音源データを受信する前に、曲配信サーバ２６との間でユーザのＩＤとパスワードとを用いた認証を行うようにしてもよい。また、ＣＰＵ６５１は、不揮発性メモリ６５４に格納された曲情報６５４Ｂ内の、その曲に対応するレコードの「状態」フィールドに購入済みを示す値（例えば、“購入済み”）を設定する（ブロックＢ４０５）。さらに、ＣＰＵ６５１は、映像コンテンツリストに表示されている、その曲に対応する曲ボタンを、購入済みを示す曲ボタンに変更する（ブロックＢ４０６）。
【０１４０】
また、ポップアップ８６内の「はい」ボタン８６２が選択されていない場合（ブロックＢ４０３のＮｏ）、ＣＰＵ６５１は、「保留」ボタン８６３が選択されたか否かを判定する（ブロックＢ４０７）。ＣＰＵ６５１は、例えば、リモートコントローラ１７上のキーの操作に応じて、「保留」ボタン８６３がフォーカスされ、選択された場合に、「保留」ボタン８６３が選択されたと判定する。「保留」ボタン８６３が選択された場合（ブロックＢ４０７のＹｅｓ）、ＣＰＵ６５１は、不揮発性メモリ６５４に格納された曲情報６５４Ｂ内の、その曲に対応するレコードの「状態」フィールドに保留を示す値（例えば、“保留中”）を設定する（ブロックＢ４０８）。さらに、ＣＰＵ６５１は、映像コンテンツリストに表示されている、その曲に対応する曲ボタンを、保留を示す曲ボタンに変更する（ブロックＢ４０９）。
【０１４１】
また、ポップアップ８６内の「保留」ボタン８６３が選択されていない場合（ブロックＢ４０７のＮｏ）、ＣＰＵ６５１は、「いいえ」ボタン８６４が選択されたか否かを判定する（ブロックＢ４１０）。ＣＰＵ６５１は、例えば、リモートコントローラ１７上のキーの操作に応じて、「いいえ」ボタン８６４がフォーカスされ、選択された場合に、「いいえ」ボタン８６４が選択されたと判定する。「いいえ」ボタン８６４が選択された場合（ブロックＢ４１０のＹｅｓ）、ＣＰＵ６５１は、不揮発性メモリ６５４に格納された曲情報６５４Ｂ内の、その曲に対応するレコードの「状態」フィールドに、その曲を購入しないことを示す値（例えば、“非購入決定済み”）を設定する（ブロックＢ４１１）。さらに、ＣＰＵ６５１は、映像コンテンツリストに表示されている、その曲に対応する曲ボタンを、購入しないことが決定済みであることを示す曲ボタンに変更する（ブロックＢ４１２）。
【０１４２】
以上説明したように、本実施形態によれば、映像コンテンツに関連付けられた曲の購入又は登録を容易に管理することができる。通信デバイス６６は、第１映像コンテンツに関連付けられた第１曲に関する第１曲情報と、第２映像コンテンツに関連付けられた第２曲に関する第２曲情報とを受信する。ＣＰＵ６５１は、それら第１曲情報と第２曲情報とを用いて、第１映像コンテンツを示す第１項目と第１曲の購入又は登録に関する状態を示す第２項目とが並べて配置され、第２映像コンテンツを示す第３項目と第２曲の購入又は登録に関する状態を示す第４項目とが並べて配置された第１画面をＬＣＤ１４に表示する。ＣＰＵ６５１は、第１項目が選択された場合、第１映像コンテンツを再生し、第３項目が選択された場合、第２映像コンテンツを再生する。
【０１４３】
これによりユーザは、映像コンテンツと、その映像コンテンツに関連付けられた曲の購入又は登録に関する状態を一目で把握することができ、その曲の購入又は登録を容易に管理することができる。
【０１４４】
上述した説明では、主に、映像コンテンツに関連付けられた曲の購入を管理する形態について例示したが、本テレビジョン受信機１１は、曲の購入だけではなく、例えば定額配信サービスを利用するような場合に、曲をリスト（お気に入り）に登録することも同様にして管理することができる。したがって、本実施形態に記載された購入を、例えば、リスト等への登録に置き換えた構成により、映像コンテンツに関連付けられた曲の登録を容易に管理することができる。
【０１４５】
また、本実施形態に記載された様々な機能の各々は、回路（処理回路）によって実現されてもよい。処理回路の例には、中央処理装置（ＣＰＵ）のような、プログラムされたプロセッサが含まれる。このプロセッサは、メモリに格納されたコンピュータプログラム（命令群）を実行することによって、記載された機能それぞれを実行する。このプロセッサは、電気回路を含むマイクロプロセッサであってもよい。処理回路の例には、デジタル信号プロセッサ（ＤＳＰ）、特定用途向け集積回路（ＡＳＩＣ）、マイクロコントローラ、コントローラ、他の電気回路部品も含まれる。本実施形態に記載されたＣＰＵ以外の他のコンポーネントの各々もまた処理回路によって実現されてもよい。
【０１４６】
また、本実施形態の各種処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０１４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４８】
１１…デジタルテレビジョン受信機、１４…ＬＣＤ、１５…スピーカ、２１…モバイル機器、２５…曲情報サーバ、２５１…曲情報、２５２…試聴版音源データ、２６…曲配信サーバ、２６１…ユーザ情報、２６２…製品版音源データ、３１…録画処理部、３２…リスト処理部、３３Ｔ…送信処理部、３３Ｒ…受信処理部、３４…映像コンテンツ再生処理部、３５…曲再生処理部、６５３Ａ…録画・再生アプリケーションプログラム、６５４…不揮発性メモリ、６５４Ａ…映像コンテンツデータ、６５４Ｂ…曲情報、６５４Ｃ…ユーザ情報。
【図１】
2017118178.tif 000003
【図２】
2017118178.tif 000004
【図３】
2017118178.tif 000005
【図４】
2017118178.tif 000006
【図５】
2017118178.tif 000007
【図６】
2017118178.tif 000008
【図７】
2017118178.tif 000009
【図８】
2017118178.tif 000010
【図９】
2017118178.tif 000011
【図１０】
2017118178.tif 000012
【図１１】
2017118178.tif 000013
【図１２】
2017118178.tif 000014
【図１３】
2017118178.tif 000015
【図１４】
2017118178.tif 000016
【図１５】
2017118178.tif 000017
【図１６】
2017118178.tif 000018
【図１７】
2017118178.tif 000019
【図１８】
2017118178.tif 000020
【図１９】
2017118178.tif 000021